(57)【要約】【課題】アンテナの特性を良好に維持しながらアンテナ取り付け用の穴を小さくした造営面に設置できるアンテナ装置を提供する。【解決手段】壁面や天井面などの造営面（９０）に取り付けられ、造営面の表面側（９０ａ）にて人に視認されるアンテナ装置（１）であって、反射板（２４）とアンテナ素子（２１，２２）とを有するアンテナ（２０）と、アンテナを収容し、表面側の内寸（Ｄ２）が表面側とは反対側である裏面側（９０ｂ）の内寸（Ｄ１）に比べて小さく形成され、造営面を挟んで造営面に取り付けられるアンテナカバー（１０）と、を有する。【選択図】図２
2016195297.tif 000002
【特許請求の範囲】
【請求項１】
壁面や天井面などの造営面に取り付けられ、当該造営面の表面側にて人に視認されるアンテナ装置であって、
導電体板とアンテナ素子とを有するアンテナと、
前記アンテナを収容し、前記表面側の内寸が当該表面側とは反対側である裏面側の内寸に比べて小さく形成され、前記造営面を挟んで当該造営面に取り付けられるアンテナカバーと
を有するアンテナ装置。
【請求項２】
前記アンテナカバーは、前記表面側と前記裏面側とで、前記アンテナを収容する内側にて段差が形成され、当該段差の形成に対応して当該内側と対向する外装部に段差が形成されるカバー本体を備え、当該外装部の段差を利用して前記造営面を挟んで取り付けられることを特徴とする請求項１記載のアンテナ装置。
【請求項３】
前記アンテナは、周波数帯域の異なる複数のアンテナ素子を有し、
前記アンテナカバーは、収容する前記複数のアンテナ素子を構成する各々のアンテナ素子の外寸に応じて異なる内寸を有することを特徴とする請求項１または２記載のアンテナ装置。
【請求項４】
前記アンテナカバーは、前記造営面の前記表面側から当該アンテナカバーを取り付ける取り付け部材を有し、当該取り付け部材は、前記カバー本体の前記外装部の前記段差によって外寸が小さく形成された小寸外装部と嵌合することを特徴とする請求項１乃至３いずれか一項記載のアンテナ装置。
【請求項５】
前記アンテナカバーの前記カバー本体は、前記表面側である底面が筐体で覆われていることを特徴とする請求項１乃至４いずれか一項記載のアンテナ装置。
【請求項６】
前記アンテナカバーの前記取り付け部材は、底面を有するカップ型または底面のないリング型であることを特徴とする請求項１乃至５いずれか一項記載のアンテナ装置。
【請求項７】
壁面や天井面などの造営面に取り付けられ、当該造営面の表面側にて人に視認されるアンテナ装置であって、
アンテナ素子を有するアンテナと、
前記アンテナを収容し、当該アンテナの外寸の小さな構造物を前記表面側に配置し、当該アンテナの外寸の大きな構造物を当該表面側とは反対側に配置し、これらの配置に応じて前記造営面に対する取り付け構造を形成するアンテナカバーと
を有するアンテナ装置。
【請求項８】
前記アンテナの前記外寸の小さな構造物は高周波数帯域で使用できるアンテナ素子であり、前記外寸の大きな構造物は低周波数帯域で使用できるアンテナ素子および導電体板、または導電体板であることを特徴とする請求項７記載のアンテナ装置。
【発明の詳細な説明】
【技術分野】
【０００１】
本発明は、壁面や天井面などの造営面に取り付けられるアンテナ装置に関する。
【背景技術】
【０００２】
例えば、特許文献１では、アンテナ本体とアンテナカバーとに、互いに螺合する螺合部を形成し、このアンテナ本体とアンテナカバーとで天井面や壁面等の造営面を挟み込んだ状態で互いの螺合部を螺合させていくことにより、アンテナ本体とアンテナカバーとを造営面に取り付けるようにしたアンテナ装置が記載されている。
【先行技術文献】
【特許文献】
【０００３】
【特許文献１】特開平９−２３８０１２号公報
【発明の概要】
【発明が解決しようとする課題】
【０００４】
ここで、造営面にアンテナ装置を取り付けるためには、造営面に貫通穴を設けることが必要となる。アンテナ本体に格納されるアンテナ素子が小さい場合にはアンテナ装置全体が小さく形成され、例えば円筒形のアンテナ装置を取り付ける場合にその貫通穴の径を小さくできる。しかしながら、例えば寸法の大きなアンテナ素子を用いた場合には、アンテナ装置も大きくなり、造営面に空ける貫通穴も大きくなる。また、アンテナ素子だけでなく、例えば大きな反射板などの構造物を用いた場合には、造営面に空ける貫通穴が大きくなる。この貫通穴が大きくなると、造営面の強度も低くなることが懸念される。また、人に視認される造営面の表面から大きなアンテナ装置が露出することは、外観上からも好ましいものではない。
本発明の目的は、アンテナの特性を良好に維持しながら取り付け用の穴を小さくした造営面に設置できるアンテナ装置を提供することにある。
【課題を解決するための手段】
【０００５】
かかる目的のもと、本発明は、壁面や天井面などの造営面（９０）に取り付けられ、当該造営面の表面側（９０ａ）にて人に視認されるアンテナ装置（１）であって、導電体板（２４）とアンテナ素子（２１，２２）とを有するアンテナ（２０）と、前記アンテナを収容し、前記表面側の内寸（Ｄ２）が当該表面側とは反対側である裏面側（９０ｂ）の内寸（Ｄ１）に比べて小さく形成され、前記造営面を挟んで当該造営面に取り付けられるアンテナカバー（１０）と、を有するアンテナ装置である。
【０００６】
ここで、前記アンテナカバーは、前記表面側と前記裏面側とで、前記アンテナを収容する内側にて段差（１５）が形成され、当該段差の形成に対応して当該内側と対向する外装部（１１ａ）に段差が形成されるカバー本体（１１）を備え、当該外装部の段差を利用して前記造営面を挟んで取り付けられることを特徴とする。
また、前記アンテナは、周波数帯域の異なる複数のアンテナ素子（２１，２２）を有し、前記アンテナカバーは、収容する前記複数のアンテナ素子を構成する各々のアンテナ素子の外寸に応じて異なる内寸を有することを特徴とする。
更に、前記アンテナカバーは、前記造営面の前記表面側から当該アンテナカバーを取り付ける取り付け部材（１２）を有し、当該取り付け部材は、前記カバー本体の前記外装部の前記段差によって外寸が小さく形成された小寸外装部（１６）と嵌合することを特徴とする。
また更に、前記アンテナカバーの前記カバー本体は、前記表面側である底面（１１ｅ）が筐体で覆われていることを特徴とする。
また、前記アンテナカバーの前記取り付け部材は、底面を有するカップ型（１２）または底面のないリング型（３２）であることを特徴とする。
【０００７】
他の観点から捉えると、本発明は、壁面や天井面などの造営面（９０）に取り付けられ、当該造営面の表面側にて人に視認されるアンテナ装置（１）であって、アンテナ素子（２１，２２）を有するアンテナ（２０）と、前記アンテナを収容し、当該アンテナの外寸の小さな構造物（２２）を前記表面側に配置し、当該アンテナの外寸の大きな構造物（２１，２４）を当該表面側とは反対側に配置し、これらの配置に応じて前記造営面に対する取り付け構造（１５，Ｄ１，Ｄ２）を形成するアンテナカバー（１０）とを有するアンテナ装置である。
【０００８】
ここで、前記アンテナの前記外寸の小さな構造物は高周波数帯域で使用できるアンテナ素子（２２，４２）であり、前記外寸の大きな構造物は低周波数帯域で使用できるアンテナ素子（２１）および導電体板（２４）、または導電体板（４４）であることを特徴とする。
【０００９】
なお、本欄における上記符号は、本発明の説明に際して理解の容易のために、あくまでも例示的に付したものであり、この符号により本発明が限定解釈されるものではない。
【発明の効果】
【００１０】
本発明によれば、アンテナの特性を良好に維持しながら取り付け用の穴を小さくした造営面に設置できるアンテナ装置を提供できる。
【図面の簡単な説明】
【００１１】
【図１】本実施の形態が適用されるアンテナ装置の設置状態を示した外観図である。
【図２】本実施の形態が適用されるアンテナ装置の全体構成を説明するための図である。
【図３】（ａ）、（ｂ）は、本実施の形態が適用されるアンテナ装置の他の実施態様を説明するための図である。
【図４】（ａ）、（ｂ）は、本実施の形態が適用されるアンテナ装置に用いられるアンテナの他の例を示した図である。
【発明を実施するための形態】
【００１２】
以下、添付図面を参照して、本発明の実施の形態について詳細に説明する。
〔アンテナ装置１の全体構成〕
図１は、本実施の形態が適用されるアンテナ装置１の設置状態を示した外観図である。また、図２は、本実施の形態が適用されるアンテナ装置１の全体構成を説明するための図である。
本実施の形態が適用されるアンテナ装置１は、例えば天井面や壁面などの造営面９０に設置される。造営面９０は、例えば石膏ボードなどの建築材料によって形成される。そして、アンテナ装置１が取り付けられる箇所に貫通穴が空けられ、アンテナ装置１が取り付けられる。
【００１３】
図１および図２に示すアンテナ装置１は、アンテナ２０を内蔵するアンテナカバー１０を備えている。アンテナカバー１０は、アンテナ２０を包み込むカバー本体１１と、このカバー本体１１の外装部１１ａと嵌合する取り付け部材１２とを有している。
【００１４】
アンテナカバー１０のカバー本体１１は、図２に示すように、大きな内寸Ｄ１で形成される幅広部１３と、内寸Ｄ１に比べて小さな内寸Ｄ２で形成される幅狭部１４とが形成されている。そして、この幅広部１３と幅狭部１４との間には段差１５が形成されている。この段差１５に対応して、この内側と対向する外装部１１ａにも段差１５が形成される。カバー本体１１の幅狭部１４に対峙する外装部１１ａ（外周面）である小寸外装部には、外周ネジ部１６が形成されている。
【００１５】
また、カバー本体１１の天面側１１ｄには、造営面９０に直接ではなく、例えば吊りボルト用金具などのブラケット（図示せず）を介してネジ止めによる固定を可能とする吊りボルト設置用ネジ部１７が、例えば４箇所、設置されている（図２では２箇所が示されている）。この吊りボルト設置用ネジ部１７を用いて吊りボルト用金具でアンテナ装置１を固定する場合には、造営面９０を挟んでアンテナ装置１を固定する必要がないため、取り付け部材１２を用いなくてもよいが、美観上の観点から、必要に応じて取り付け部材１２を用いても良い。
【００１６】
ここで、カバー本体１１の底面側１１ｅは、カバーの筐体で閉じられている。すなわち、アンテナカバー１０のカバー本体１１は、表面側９０ａとなる底面側１１ｅがカバーの筐体で覆われている。これによって、取り付け部材１２を用いないで設置する場合や、取り付け部材１２を取り付ける前であっても、カバー本体１１の内部にあるアンテナ２０は、カバー本体１１の筐体で隠された状態にある。カバー本体１１の内部の構造物が隠された状態にあれば、施工前における構造物の破損が軽減でき、特に、作業者による施工時のアンテナ２０の破壊などを防ぐことができる。
【００１７】
一方、アンテナカバー１０の取り付け部材１２の内周面には、小寸外装部と嵌合させるために外周ネジ部１６に噛み合う内周ネジ部１８が形成されている。また、取り付け部材１２には、この取り付け部材１２の外周面から内周面に貫通するネジ用穴１９が形成されている。このネジ用穴１９には、取り付け部材１２をカバー本体１１にねじ込んだ後に取り付け部材１２の緩みを防止するためのタッピンネジなどのネジ２９（図１参照）が挿入される。取り付け部材１２は、カバー本体１１の底面側１１ｅに対峙する部分が面で覆われ、底面を有するカップ型（袋状）のナット構造である。
【００１８】
アンテナカバー１０のカバー本体１１には、アンテナ２０が収容されている。図２に示すアンテナ２０は、アンテナ素子として、第１の無指向性の水平偏波アンテナからなる第１のアンテナ素子２１と、第２の無指向性の水平偏波アンテナからなる第２のアンテナ素子２２とが配置されている。すなわち、本実施の形態のアンテナ２０は、周波数帯域の異なる複数のアンテナ素子を備えている。第１のアンテナ素子２１および第２のアンテナ素子２２は、例えば、ある円の円周の一部を構成するように湾曲された円弧状の導電体で構成され、この円の円周上に等間隔に配置される複数個のダイポールアンテナで構成されている。第１のアンテナ素子２１は、例えば８００ＭＨｚ帯の低周波数帯域の電波を入射/放射し、第２のアンテナ素子２２は、例えば１.５ＧＨｚ帯や２.０ＧＨｚ帯の高周波数帯域の電波を入射/放射する。一般に、高周波数帯域用のアンテナは、低周波数帯域用のアンテナに比べて造営面９０の影響を受けやすい。従って、高周波数帯域用のアンテナである第２のアンテナ素子２２を造営面９０の表面側９０ａに配置することは、その特性を良好に維持する観点から好ましい。尚、複数のアンテナ素子は、３つ以上のアンテナ素子を備えていても構わない。
【００１９】
更に、アンテナ２０は、第１のアンテナ素子２１および第２のアンテナ素子２２に給電するための給電回路２３を有している。また、同様に導電体の一つである反射板（導電体板）２４を備えている。また更に、アンテナ２０には、反射板２４から延伸しカバー本体１１の天面側１１ｄから突出して給電および信号の伝達を行う入出力端子２５が設けられている。
【００２０】
言い換えると、このアンテナ装置１は、アンテナ２０の外寸の小さな構造物である第２のアンテナ素子２２を、造営面９０への設置時に造営面９０の表面側９０ａに対応する側となる位置に配置している。また、アンテナ２０の外寸の大きな構造物である第１のアンテナ素子２１および反射板２４を、表面側９０ａとは反対側である裏面側９０ｂとなる位置に配置している。そして、このアンテナ２０を内蔵するカバー本体１１は、このアンテナ２０の配置に支障がない位置に段差１５を形成している。そして、外装部１１ａにも、この段差１５に対峙する外装部１１ａの段差１５が形成される。すなわち、本実施の形態が適用されるカバー本体１１は、周波数帯域の異なる複数のアンテナ素子（第１のアンテナ素子２１、第２のアンテナ素子２２）の各々のアンテナ素子の外寸に応じて、内寸Ｄ１および内寸Ｄ２の異なる内寸を有している。
【００２１】
すなわち、アンテナ２０を収容しているアンテナカバー１０は、造営面９０に取り付けられた際、図２に示すように、造営面９０の表面側９０ａと、この表面側９０ａとは反対側である裏面側９０ｂとに、その外装部１１ａが存在している。造営面９０との関係から説明すると、アンテナカバー１０は、表面側９０ａの内寸Ｄ２が、裏面側９０ｂの内寸Ｄ１に比べて小さくなるように構成されている。尚、アンテナカバー１０のカバー本体１１は、幅広部１３に対峙する外装部１１ａにて外寸が例えば直径２５０ｍｍ、幅狭部１４に対峙する外装部１１ａにて外周ネジ部１６の外寸が例えば１９０ｍｍ、アンテナカバー１０の取り付け部材１２の外寸が例えば２１０ｍｍである。そして、表面側９０ａにて、取り付け部材１２を取り付ける前には、カバー本体１１の幅狭部１４を有する外装部１１ａが人に視認され、取り付け部材１２をねじ込んで取り付けた後には、取り付け部材１２が人に視認されることとなる。
【００２２】
尚、アンテナカバー１０のカバー本体１１は、表面側９０ａの内寸が、この表面側９０ａとは反対側である裏面側９０ｂの内寸に比べて小さく形成されており、本実施の形態では、段差１５による二段構造で説明したが、段差は三段以上の複数段であってもよい。また、カバー本体１１の内部に段差１５を形成せず、テーパ構造によっても内寸に差を持たせることができる。この場合には、表面側９０ａの内寸が小さく、裏面側９０ｂの内寸が大きなテーパ構造が採用される。
また、カバー本体１１に取り付け部材１２を取り付ける構造は、ネジ切り構造に限られない。例えば、嵌め合わせ構造や圧入構造なども採用できる。
【００２３】
〔アンテナ装置１の取り付け〕
次に、アンテナ装置１の造営面９０への取り付けについて、説明する。
まず、アンテナ装置１の取り付け前に、造営面９０には、アンテナカバー１０のカバー本体１１の外周ネジ部１６が貫通できる穴が空けられる（後述する図３（ａ）の穴９０ｃを参照）。例えば、外周ネジ部１６がＭ１９０のネジであれば、これを貫通させるために、例えば直径１９５ｍｍ〜２００ｍｍ程度で空けられる。そして、空けられた穴に、造営面９０の裏面側９０ｂからアンテナ装置１が取り付けられる。より具体的には、アンテナカバー１０の取り付け部材１２が外されている状態で、造営面９０の穴に合わせて裏面側９０ｂからカバー本体１１の外周ネジ部１６が通される。そして、カバー本体１１は、外装部１１ａの段差１５にてカバー本体１１の位置が定められる。造営面９０の穴に外周ネジ部１６が通され、位置が定められたカバー本体１１の外周ネジ部１６に、取り付け部材１２の内周ネジ部１８を噛み合わせ、ねじ込むことにより、図１に示すような取り付けがなされる。すなわち、造営面９０を挟んでアンテナ装置１のアンテナカバー１０が取り付けられる。その後、この取り付け部材１２のネジ用穴１９には、取り付け部材１２をカバー本体１１にねじ込んだ後に取り付け部材１２の緩みを防止するためのネジ２９（図１参照）が挿入される。
【００２４】
本実施の形態では、カバー本体１１の外周に、内側の段差１５に対応する外装部１１ａの段差１５があり、造営面９０の表面側９０ａには、外装部１１ａの段差１５の小径部分だけが表面に現れる。そのため、筐体の大きなアンテナ装置１をそのまま露出させることはなく、アンテナ装置１が目立たない。また、本実施の形態では、例えば天井などの造営面９０に大きな穴を空けることなく、アンテナ装置１が設置される。また、取り付け部材１２をカバー本体１１にねじ込んで締め付けることでアンテナ装置１の位置が定まり、外観が取り付け部材１２の構造によって決定され、造営面９０の厚みには影響されない。更に、本実施の形態では、天井面などの造営面９０に穴を空けてカバー本体１１を設置した後、カバー本体１１と穴の隙間が、取り付け部材１２によって隠れる。
【００２５】
〔アンテナカバー１０の他の実施の形態〕
図３（ａ）、（ｂ）は、本実施の形態が適用されるアンテナ装置１の他の実施態様（実施の形態２）を説明するための図であり、図３（ａ）は造営面９０への取り付け前の斜視図、図３（ｂ）は天井である造営面９０へ取り付けた後の状態を示している。図３（ｂ）は、人に視認される造営面９０の表面側９０ａから（造営面９０が天井である場合には床面側から）アンテナ装置１を眺めている。
本実施の形態（実施の形態２）では、図１および図２に示す実施の形態１のカップ型の取り付け部材１２に変えて、リング型取り付け部材３２を用いた点に特徴がある。尚、実施の形態１と同様の機能については同様の符号を用い、ここではその説明を省略する。
【００２６】
アンテナカバー１０を構成するリング型取り付け部材３２は、図１および図２に示す実施の形態１のカップ型の取り付け部材１２とは異なり、底面がないリング状をしている。リング型取り付け部材３２には、実施の形態１のカップ型の取り付け部材１２に設けられている内周ネジ部１８（図２参照）と同様な内周ネジ部３８が設けられており、カバー本体１１の外周ネジ部１６に噛み合う。また、リング型取り付け部材３２には、このリング型取り付け部材３２の外周面から内周面に貫通するネジ用穴３９が形成されている。このネジ用穴３９には、リング型取り付け部材３２をカバー本体１１にねじ込んだ後にリング型取り付け部材３２の緩みを防止するためのネジ２９（図３（ｂ）参照）が挿入される。
【００２７】
図３（ａ）に示すように、造営面９０には穴９０ｃが形成されている。この穴９０ｃは、カバー本体１１の外周ネジ部１６がＭ１９０のネジであれば、これを貫通させるために、例えば直径１９５ｍｍ〜２００ｍｍ程度で空けられる。そして、空けられた穴９０ｃに、造営面９０の裏面側９０ｂからアンテナ装置１が取り付けられる。より具体的には、アンテナカバー１０のリング型取り付け部材３２が外されている状態で、造営面９０の穴９０ｃに合わせて裏面側９０ｂからカバー本体１１の外周ネジ部１６が通される。そして、カバー本体１１は、段差１５（図２参照）に対峙する外表面にてカバー本体１１の位置が定められる。造営面９０の穴９０ｃに外周ネジ部１６が通され、位置が定められたカバー本体１１の外周ネジ部１６に、リング型取り付け部材３２の内周ネジ部３８を噛み合わせ、ねじ込むことにより、図３（ｂ）に示すような取り付けがなされる。すなわち、造営面９０を挟んでアンテナ装置１のアンテナカバー１０が取り付けられる。その後、このリング型取り付け部材３２のネジ用穴３９には、リング型取り付け部材３２をカバー本体１１にねじ込んだ後にリング型取り付け部材３２の緩みを防止するためのネジ２９が挿入される。
【００２８】
本実施の形態（実施の形態２）でも実施の形態１と同様に、カバー本体１１の外周に、内側の段差１５に対応する段差があり、造営面９０の表面側９０ａには、段差の小径部分だけが表面に現れる。そのため、筐体の大きなアンテナ装置１をそのまま露出させることはなく、アンテナ装置１が目立たない。また、例えば天井などの造営面９０に、幅広部１３（図２参照）の外装部１１ａ（例えば外寸が直径２５０ｍｍ）を通すような大きな穴を空けることなく、直径１９５ｍｍ〜２００ｍｍ程度の穴９０ｃでアンテナ装置１が設置される。また、リング型取り付け部材３２をカバー本体１１にねじ込んで締め付けることでアンテナ装置１の位置が定まり、造営面９０の厚みには影響されない。更に、天井面などの造営面９０に穴９０ｃを空けてカバー本体１１を設置した後、カバー本体１１と穴９０ｃの隙間が、リング型取り付け部材３２によって隠れる。
【００２９】
尚、図２に示すように、アンテナカバー１０のカバー本体１１は、底面側１１ｅがカバーの筐体で閉じられている。そのため、底面のないリング型取り付け部材３２によって取り付けた場合であっても、カバー本体１１の内部にあるアンテナ２０は、カバー本体１１の筐体で隠された状態にあり、外観上の問題は生じない。図３（ｂ）に示すように、造営面９０に取り付けた後、カバー本体１１の底面側１１ｅが表面に現れるが、底面側１１ｅがカバーの筐体で閉じられていることから、アンテナカバー１０に内装されたアンテナ２０の構造が外観に現れない。
【００３０】
〔アンテナ２０の他の実施形態〕
次に、アンテナ装置１に内蔵される、図２に示すアンテナ２０に代わって用いられる他のアンテナについて説明する。
図４（ａ）、（ｂ）は、アンテナ装置１に内蔵される他のアンテナ例を説明するための図である。図４（ａ）に示すアンテナ装置１は、図２に示すアンテナ２０に代わって、高周波数帯域用のアンテナ素子４２だけを備えたアンテナ４０がカバー本体１１に内蔵されている。また、図４（ｂ）に示すアンテナ装置１は、図２に示すアンテナ２０に代わって、低周波数帯域用のアンテナ素子６１だけを備えたアンテナ６０がカバー本体１１に内蔵されている。
【００３１】
図４（ａ）に示すアンテナ４０は、カバー本体１１に内蔵され、例えば１.５ＧＨｚ帯や２.０ＧＨｚ帯の周波数を入射/放射し高周波数帯域で使用するためのアンテナ素子４２だけを備え、低周波数帯域で使用するためのアンテナ素子を備えていない。アンテナ素子４２は、例えば、ある円の円周の一部を構成するように湾曲された円弧状の導電体で構成され、この円の円周上に等間隔に配置される複数個のダイポールアンテナで構成された無指向性の水平偏波アンテナである。また、アンテナ４０は、アンテナ素子４２に給電するための給電回路４３を有している。また、同様に給電回路の一つである反射板４４を備えている。更に、アンテナ４０には、反射板４４から延伸しカバー本体１１の天面側１１ｄから突出して給電および信号の伝達を行う入出力端子４５が設けられている。
【００３２】
この図４（ａ）に示すアンテナ装置１では、アンテナ４０の外寸の小さな構造物であるアンテナ素子４２を、造営面９０への設置時に造営面９０の表面側９０ａに対応する側となる位置に配置している。また、アンテナ４０の外寸の大きな構造物である反射板４４を表面側９０ａとは反対側である裏面側９０ｂとなる位置に配置している。そして、このアンテナ４０を内蔵するカバー本体１１は、このアンテナ４０の配置に支障がない位置に段差１５が形成される。そして、外装部１１ａにも、この段差１５に対峙する外装部１１ａの段差１５が形成される。
【００３３】
一方、図４（ｂ）に示すアンテナ６０は、例えば８００ＭＨｚ帯の周波数を入射/放射し低周波数帯域で使用するためのアンテナ素子６１だけを備え、高周波数帯域で使用するためのアンテナ素子を備えていない。アンテナ素子６１は、例えば、ある円の円周の一部を構成するように湾曲された円弧状の導電体で構成され、この円の円周上に等間隔に配置される複数個のダイポールアンテナで構成された無指向性の水平偏波アンテナである。また、アンテナ６０は、アンテナ素子６１に給電するための給電回路６３を有している。また、同様に給電回路の一つである反射板６４を備えている。更に、アンテナ６０には、反射板６４から延伸しカバー本体１１の天面側１１ｄから突出して給電および信号の伝達を行う入出力端子６５が設けられている。
【００３４】
この図４（ｂ）に示すアンテナ装置１では、アンテナ６０の外寸の大きな構造物であるアンテナ素子６１と反射板６４とが、造営面９０の裏面側９０ｂとなる位置に配置される。一方、図２に示すアンテナ２０とは異なり、外寸の小さな構造物（例えば高周波数帯域用のアンテナ）を備えていない。そこで、図４（ｂ）のアンテナ装置１の例では、造営面９０の表面側９０ａに突出するカバー本体１１の底面側１１ｅには、内部に構造物が存在せず、空洞となっている。このような空洞の部分を有していたとしても、造営面９０の穴９０ｃを小さくすることには意義がある。また、図２に示すアンテナ２０や図４（ａ）に示すアンテナ４０などを内蔵する装置との互換性を持たせ、取り付け部材１２やリング型取り付け部材３２を用いてカバー本体１１を造営面９０に設置するために、小寸外装部を構成する外周ネジ部１６をそのまま利用することができる。
【００３５】
以上、詳述したように、本実施の形態によれば、外装部１１ａの段差１５を利用してカバー本体１１を位置決めし、アンテナ装置１を造営面９０に固定できる。その際、造営面９０の表面側９０ａには、外装部１１ａの段差１５の小径部分だけが表面に現れることから、大寸外装部を造営面９０の表面側９０ａに露出させない。また、造営面９０に空ける穴９０ｃが、小寸外装部に対応したものでよく、造営面を弱めない。更に、取り付け部材１２やリング型取り付け部材３２によりカバー本体１１と穴９０ｃの隙間が隠れ、良好な外観が得られる。また更に、造営面９０の厚みには影響されずに取り付けが可能となる。また、造営面９０に吊りボルト（図示せず）などの他の構造物を用いて設置し、取り付け部材１２やリング型取り付け部材３２を用いない場合であっても、カバー本体１１の底面側１１ｅがカバーで覆われていることから内部構造が剥き出されず、良好な外観を保つことができる。
【００３６】
なお、内蔵されるアンテナ素子は図示した形態のアンテナに限らず、モノポールアンテナや逆Ｆアンテナなど、いかなるアンテナであってもよい。
【符号の説明】
【００３７】
１…アンテナ装置、１０…アンテナカバー、１１…カバー本体、１１ａ…外装部、１１ｅ…底面側、１２…取り付け部材、１５…段差、２０,４０,６０…アンテナ、２１…第１のアンテナ素子、２２…第２のアンテナ素子、２４，４４，６４…反射板、３２…リング型取り付け部材、９０…造営面、９０ａ…表面側、９０ｂ…裏面側、９０ｃ…穴
【図１】
2016195297.tif 000003
【図２】
2016195297.tif 000004
【図３】
2016195297.tif 000005
【図４】
2016195297.tif 000006